(57)【要約】【課題】本発明は一年を通して順序が変動せずに、常に連続する二ヶ月分の暦を同時に一覧できる屈折式卓上カレンダーを提供する。【解決手段】所定枚数の暦葉を重ね合わせて収容する弾性変形可能な合成樹脂からなる二つの暦葉ケースにおいて、並列させた暦葉ケースの近接する双方の側壁上下端に枢着用耳片を連接するとともに、左右どちらか一方の暦葉ケースの上下枢着用耳片の対向面中央に突設した小突起と、他方の暦葉ケースの上下枢着用耳片の中央に穿設した軸孔を軸着し、屈折自在なることを特徴とする屈折式卓上カレンダーを提供する。【選択図】図２
2005297397.tif 000002
【特許請求の範囲】
【請求項１】
所定枚数の暦葉を重ね合わせて収容する弾性変形可能な合成樹脂からなる二つの暦葉ケースにおいて、並列させた暦葉ケースの近接する双方の側壁上下端に枢着用耳片を連接するとともに、左右どちらか一方の暦葉ケースの上下枢着用耳片の対向面中央に突設した小突起と、他方の暦葉ケースの上下枢着用耳片の中央に穿設した軸孔を軸着し、屈折自在なることを特徴とする屈折式卓上カレンダー。
【発明の詳細な説明】
【技術分野】
【０００１】
本発明は一年を通して順序が変動せずに、常に連続する二ヶ月分の暦を同時に一覧できる屈折式卓上カレンダーに関するものである。
【背景技術】
【０００２】
従来から、カード式卓上カレンダーの多くは、透明のプラスチック板または塩化ビニール等の合成樹脂シートからなる暦葉ケースに、１月から１２月までの単月の暦葉を重ねて収納して使用するものが知られている。
【０００３】
しかしながら、卓上カレンダーは単に日付と曜日を確認するだけでなく、予定表として使われることも多く、そのためには常に近い将来の暦が一覧できる必要があるにも拘わらず、従来の単月のカレンダーカードを使った卓上カレンダーでは、月末ともなれば、次月の曜日を確認する場合や予定を記入するためには、その都度当月の暦葉をケースからはずして、次月分暦葉を活用しなければならないという煩わしさがあった。しかも、次月の予定を記入しても、当月においては見ることができないという難点があった。
【０００４】
そこでこれらの不都合を解消するために、一年を通して常に二ヶ月分を同時に一覧できる卓上カレンダーもいくつか提案されている。（例えば、特許文献１及び２参照）
【特許文献１】登録実用新案第３０５３４６５号
【特許文献２】特許公開２００３−１７５６８７しかしながら、登録実用新案第３０５３４６５号公報に示される２段ポケット付き卓上カレンダーは、左利きの人が左手で持ち上げた時に僅かでも右に傾くとカードがこぼれ落ちるという難点がある。また、特許公開２００３−１７５６８７号公報に示される卓上カレンダーは、偶数月から始まる二ヶ月は月の並びが逆転するので、使用上の違和感から使い辛いという問題点が発生する。
【発明の開示】
【発明が解決しようとする課題】
【０００５】
そこで本発明は、一年を通して順序が変動せずに、常に連続二ヶ月分の暦を一覧できて、予定表としても優れた機能を有し、しかも日付欄への書き込みがしやすい屈折式卓上カレンダーを提供することを課題とする。
【課題を解決するための手段】
【０００６】
本発明は、上記の課題を解決する目的で、所定枚数の暦葉を重ね合わせて収容する弾性変形可能な合成樹脂からなる二つの暦葉ケースにおいて、並列させた暦葉ケースの近接する双方の側壁上下端に枢着用耳片を連接するとともに、左右どちらか一方の暦葉ケースの上下枢着用耳片の対向面中央に突設した小突起と、他方の暦葉ケースの上下枢着用耳片の中央に穿設した軸孔を軸着し、屈折自在なることを特徴とする屈折式卓上カレンダーを提供する。
【発明の効果】
【０００７】
本発明の屈折式卓上カレンダーは、所定枚数の暦葉を重ね合わせて収容する弾性変形可能な合成樹脂からなる二つの暦葉ケースにおいて、並列させた暦葉ケースの近接する双方の側壁上下端に枢着用耳片を連接するとともに、左右どちらか一方の暦葉ケースの上下枢着用耳片の対向面中央に突設した小突起と、他方の暦葉ケースの上下枢着用耳片の中央に穿設した軸孔を軸着し、屈折自在なる構造にしているので、軸着された該枢着用耳片を要として任意の角度に折り曲げることで二つの暦葉ケースを容易に机上に直立させることができる。然る後、一方の暦葉ケースに当月の暦葉を収納し、他方の暦葉ケースに次月の暦葉を収納すれば、一年を通して順序が変動せずに、常に連続する二ヶ月分の暦を同時に一覧できるので予定表としても優れ機能と効果を発揮するものである。また、日付欄へ書き込みをする場合は、二つの暦葉ケースを略平面状態にして机上に寝かせれば作業しやすく便利である。
【発明を実施するための最良の形態】
【０００８】
本発明の最良の実施形態を図面に基づき説明する。
【実施例】
【０００９】
図１は本発明の屈折式型卓上カレンダーの構成部材を示す説明図であり、（Ａ）は一方の暦葉ケース１の斜視図、（Ｂ）は他方の暦葉ケース２の斜視図、（Ｃ）は各月の暦が印刷された暦葉集３を示す図であり、図２は本発明の屈折式卓上カレンダーの一使用状態を示す斜視図であり、図３は本発明の屈折式卓上カレンダーの別の使用状態を示す斜視図であり、図４は本発明に係る二つの暦葉ケースの収納状態を示す説明図である。
【００１０】
図1（Ａ）において、一方の暦葉ケース１は弾性変形可能な合成樹脂からなり、矩形の略暦葉大の広さを持つ背面部４と、該背面部４の向かって右側端から前方に右側壁５が垂設され、該背面部４の向かって左側端から前方に左側壁６が垂設され、さらに該背面部４の下端から前方に底面部７が垂設され、それら右側壁５、左側壁６及び底面部７の夫々の前方側端から内側方向に夫々表壁部８が垂設されている。加えて一方の暦葉ケース１の向かって右側壁５の上端部と下端部に略円形の枢着用耳片９が外側右方向に連接され、この二つの枢着用耳片９の対向面中央には小突起１０が突設されている。
【００１１】
図1（Ｂ）において、他方の暦葉ケース２も弾性変形可能な合成樹脂からなり、矩形の略暦葉大の広さを持つ背面部４´と、該背面部４´の向かって右側端から前方に右側壁５´が垂設され、該背面部４´の向かって左側端から前方に左側壁６´が垂設され、さらに該背面部４´の下端から前方に底面部７´が垂設され、それら右側壁５´、左側壁６´及び底面部７´の夫々の前方側端から内側方向に夫々表壁部８´が垂設されている。加えて他方の暦葉ケース２の向かって左側壁６´の上端部と下端部に略円形の枢着用耳片９´が外側左方向に連接され、この二つの枢着用耳片９´の中央には軸孔１１が穿設されている。                    
【００１２】
この場合において、一方の暦葉ケース１の二つの枢着用耳片９が、他方の暦葉ケース２の二つの枢着用耳片９´を所定の強度で挟持せしめるため、一方の暦葉ケース１の二つの枢着用耳片９の対向する面の距離は、他方の暦葉ケース２の二つの枢着用耳片９´の相反する面の距離に対して、少なくとも同じか僅かに短いことが望ましい。
【００１３】
図１（Ｃ）は、紙葉表面に一月から十二月までの単月の暦が印刷された暦葉集３であるが、６枚の紙葉の表裏に十二ヶ月分の暦を配分印刷することもできる。
【００１４】
図２は、本発明の屈折式卓上カレンダーの一使用状態を示す斜視図である。一方の暦葉ケース１の二つの枢着用耳片９を広げる方向に弾性変形させて、その対向面中央に突設した小突起１０と、他方の暦葉ケース２の枢着用耳片９´の中央に穿設されている軸孔１１を軸着した後に弾性復帰させると、その弾性力により他方の暦葉ケース２の枢着用耳片９´を安定挟持するとともに、軸着された該枢着用耳片９、９´を要として任意の角度に折り曲げることもできる。
【００１５】
図２（Ａ）において、一月暦葉１２を一方の暦葉ケース１に収納し、二月暦葉１３を先頭にそれ以降のカレンダーカードを重ねて他方の暦葉ケース２に収納することで、一月と二月の二ヶ月分の暦が同時に一覧できる。
【００１６】
図２（Ｂ）において、一月終了時点で他方の暦葉ケース２から二月暦葉１３を抜き出して一方の暦葉ケース１に挿入すれば、他方の暦葉ケース２には三月暦葉１４が現れ、直ちに二月と三月の暦の順序が変動せずに同時に一覧できる。以後毎月同様の作業を繰り返すことで、一年を通して順序が変動せずに、常に連続する二ヶ月分の暦を同時に一覧できる。
【００１７】
図３は、本発明の屈折式卓上カレンダーの別の使用状態を示す斜視図である。当該カレンダーの実施の形態としては、図２のように暦葉面を内側に折り込むだけでなく、図３に示すように暦葉面を外側に折り広げて使うこともできる。これにより直立させる手法に幅が出て、机上のスペースや備品類との整合性が大きくなり使いやすく且つ変化を楽しむこともできる。
【００１８】
図４は、本発明に係る二つの暦葉ケースの収納状態を示す説明図である。（Ａ）は収納状態の斜視図であり、（Ｂ）は枢着用耳片９、９´の部分拡大底面図であり、（Ｃ）は図４（Ｂ）のａ−ａ線の断面図である。図４（B）（C）で示すように、当該屈折式卓上カレンダーの枢着用耳片９、９´の中央に配設してある小突起１０及び軸孔１１の中心は、それぞれが連接されている暦葉ケース１及び２の背面部４、４´の裏面を延長した面上に設けているため、該暦葉ケース１、２は、背面部４、４´の裏面を密着させる形でコンパクトに折り畳むことができ、包装や携帯面で優れた特性をもつ。
【図面の簡単な説明】
【００１９】
【図１】本発明の屈折式卓上カレンダーの構成部材を示す説明図である。
【図２】本発明の屈折式卓上カレンダーの一使用状態を示す斜視図である。
【図３】本発明の屈折式卓上カレンダーの別の使用状態を示す斜視図である。
【図４】本発明に係る二つの暦葉ケースの収納状態を示す説明図である。
【符号の説明】
【００２０】
１  一方の暦葉ケース
２  他方の暦葉ケース
３  暦葉集
４、４´  背面部
５、５´  右側壁
６、６´  左側壁
７、７´  底面部
８、８´  表壁部
９、９´  枢着用耳片
１０  小突起
１１  軸孔
１２  一月暦葉
１３  二月暦葉
１４  三月暦葉
尚、各図中の同一符号は、同一または相当部分を示す。
【図１】
2005297397.tif 000003
【図２】
2005297397.tif 000004
【図３】
2005297397.tif 000005
【図４】
2005297397.tif 000006